(57)【要約】【課題】複数台を千鳥配置することにより一つの集合体を構成した場合であっても使いにくい領域が生じることがないデスクを提供すること。【解決手段】一点を中心に三台を配置することにより一つのクラスターを構成する一方、複数台を千鳥配置することにより一つの島を構成するデスク１０において、同一の長さを有する一対の後縁１３ｃＬ，１３ｃＲと、一方の後縁１３ｃＬの端部と他方の後縁１３ｃＲの端部とから延在し、相互に平行かつ同一の長さを有する一対の側縁１３ｂＬ，１３ｂＲとを有する天板１３を備えたので、複数台を千鳥配置することにより一つの島を構成した場合であっても使いにくい領域が生じることがない。【選択図】図３
2012065820.tif 000002
【特許請求の範囲】
【請求項１】
一点を中心に複数台を配置することにより一つの集合体を構成する一方、複数台を千鳥配置することにより一つの集合体を構成するデスクにおいて、
同一の長さを有する一対の後縁と、一方の後縁の端部と他方の後縁の端部とから延在し、相互に平行かつ同一の長さを有する一対の側縁とを有する天板を備えたことを特徴とするデスク。
【請求項２】
前記天板は、凹となる円弧をなす前縁を有することを特徴とする請求項１に記載のデスク。
【請求項３】
前記天板の下面両側縁部に配設され、前記両側縁部の前後方向に亘り前記天板を支持する支持脚を備え、
前記支持脚は、前後方向に延び、床面上に設置される下部横杆と、前記下部横杆の後端部から上方に向けて延在する支持脚本体と、前記支持脚本体の上端部から前方に向けて延在し、上面が前記天板の下面に接する上部横杆とにより、側面視コの字状をなすことを特徴とする請求項１または２に記載のデスク。
【請求項４】
前記一対の後縁が交差する頂部の下面に配設され、前記天板を支持する支持支柱を備えたことを特徴とする請求項３に記載のデスク。
【請求項５】
前記一対の側縁の後端を相互に結ぶ仮想線と前記一対の後縁とに囲まれた後部領域に前記天板の下方領域から上方領域に連通する配線口を設けたことを特徴とする請求項１〜４のいずれか一つに記載のデスク。
【発明の詳細な説明】
【技術分野】
【０００１】
本発明は、オフィス等において使用されるデスクに関する。
【背景技術】
【０００２】
近年、毎日あるいは一定時間ごとに座席が変わるフリーアドレス制のオフィスが増えている。フリーアドレス制のオフィスでは、多様なレイアウトが可能なデスクが求められている（たとえば、特許文献１参照）。
【０００３】
たとえば、一点を中心に複数台を配置することにより一つの集合体（クラスター）を構成するクラスター型レイアウトに好適なデスクが提案されている（たとえば、特許文献２参照）。たとえば、図６に示すクラスター型レイアウトは、一点を中心に配置した三台のデスク１１０が一つの集合体（クラスター）を構成する。図７に示すように、このデスク１１０は、略五角形であって、一対の後縁１１３ｃＬ，１１３ｃＲと、一対の側縁１１３ｂＬ，１１３ｂＲと、前縁１１３ａとを有する天板１１３を備えている。一対の後縁１１３ｃＬ，１１３ｃＲに挟まれた頂角αは１２０度であって、一対の後縁１１３ｃＬ，１１３ｃＲは同一の長さを有している。一対の側縁１１３ｂＬ，１１３ｂＲは、同一の長さを有しており、それぞれ後縁１１３ｃＬ，１１３ｃＲの端部から後縁１１３ｃＬ，１１３ｃＲの直角方向に延在している。前縁１１３ａは、凹となる円弧を成しており、一方の側縁１１３ｂＬの端部から他方の側縁１１３ｂＲの端部に延在している。
【先行技術文献】
【特許文献】
【０００４】
【特許文献１】特開２００３−７９４５２号公報
【特許文献２】特開２００２−２３８６６７号公報
【発明の概要】
【発明が解決しようとする課題】
【０００５】
しかしながら、図８に示すように、このデスク１１０を千鳥配置することにより一つの集合体を構成するオフセット型レイアウトに配置すると、天板１１３と天板１１３との間に使いにくい三角形の領域が生じる。
【０００６】
本発明は、上記に鑑みてなされたものであって、複数台を千鳥配置することにより一つの集合体を構成した場合であっても使いにくい領域が生じることがないデスクを提供することを目的とする。
【課題を解決するための手段】
【０００７】
上述した課題を解決し、目的を達成するために、本発明は、一点を中心に複数台を配置することにより一つの集合体を構成する一方、複数台を千鳥配置することにより一つの集合体を構成するデスクにおいて、同一の長さを有する一対の後縁と、一方の後縁の端部と他方の後縁の端部とから延在し、相互に平行かつ同一の長さを有する一対の側縁とを有する天板を備えたことを特徴とする。
【０００８】
また、本発明は、上記発明において、前記天板は、凹となる円弧をなす前縁を有することを特徴とする。
【０００９】
また、本発明は、上記発明において、前記天板の下面両側縁部に配設され、前記両側縁部の前後方向に亘り前記天板を支持する支持脚を備え、前記支持脚は、前後方向に延び、床面上に設置される下部横杆と、前記下部横杆の後端部から上方に向けて延在する支持脚本体と、前記支持脚本体の上端部から前方に向けて延在し、上面が前記天板の下面に接する上部横杆とにより、側面視コの字状をなすことを特徴とする。
【００１０】
また、本発明は、上記発明において、前記一対の後縁が交差する頂部の下面に配設され、前記天板を支持する支持支柱を備えたことを特徴とする。
【００１１】
また、本発明は、上記発明において、前記一対の側縁の後端を相互に結ぶ仮想線と前記一対の後縁とに囲まれた後部領域に前記天板の下方領域から上方領域に連通する配線口を設けたことを特徴とする。
【発明の効果】
【００１２】
本発明にかかるデスクは、複数台を千鳥配置することにより一つの集合体を構成した場合には側縁が密着するので、天板と天板との間に使いにくい領域が生じることがない。
【００１３】
また、天板の下面両側縁部に配設された支持脚が両側縁部の前後方向に亘り天板を支持するので、天板が安定して支持される。さらに、支持脚は、前後方向に延び、床面上に設置される下部横杆と、下部横杆の後端部から上方に向けて延在する支持脚本体と、支持脚本体の上端部から前方に向けて延在し、上面が天板の下面に接する上部横杆とにより、側面視コの字状をなすので、側方に開放された下肢空間が確保され、使い勝手のよいものとなる。
【００１４】
また、一対の後縁が交差する頂部の下面に配設された支持支柱が天板を支持するので、一対の側縁の後端を相互に結ぶ仮想線と一対の後縁とに囲まれた後部領域にパソコンなどの重量物を設置してもデスクが転倒することがない。
【００１５】
また、一対の側縁の後端を相互に結ぶ仮想線と一対の後縁とに囲まれた後部領域に天板の下方領域から上方領域に連通する配線口を設けたので、ＬＡＮケーブルなどの配線が挿通可能となり、配線が整理され、使い勝手および見栄えがよいものとなる。
【図面の簡単な説明】
【００１６】
【図１】図１は、本発明の実施の形態であるデスクの正面図である。
【図２】図２は、図１に示したデスクの側面図である。
【図３】図３は、図１に示したデスクの平面図である。
【図４】図４は、図１に示したデスクをクラスター型レイアウトに配置した配置図である。
【図５】図５は、図１に示したデスクをオフセット型レイアウトに配置した配置図である。
【図６】図６は、従来のデスクをクラスター型レイアウトに配置した配置図である。
【図７】図７は、図６に示したデスクの平面図である。
【図８】図８は、従来のデスクをオフセット型レイアウトに配置した配置図である。
【発明を実施するための形態】
【００１７】
以下に、本発明にかかるデスクの実施の形態を図面に基づいて詳細に説明する。なお、この実施の形態によりこの発明が限定されるものではない。
【００１８】
図１は本発明の実施の形態であるデスクの正面図、図２は図１に示したデスクの側面図、図３は図１に示したデスクの平面図である。また、図４は図１に示したデスクをクラスター型レイアウトに配置した配置図、図５は図１に示したデスクをオフセット型レイアウトに配置した配置図である。
【００１９】
本発明の実施の形態であるデスク１０は、図４に示すように、クラスター型レイアウトに配置することもできれば、図５に示すように、オフセット型レイアウトに配置することもできる。図４に示すように、クラスター型レイアウトは、一点を中心に複数台のデスク１０を配置することにより、一つの集合体（クラスター）を構成するレイアウトで、図４に示す例では、三台のデスク１０で一つの集合体（クラスター）を構成している。図５に示すように、オフセット型レイアウトは、複数台のデスク１０を千鳥配置することにより、一つの集合体（島）を構成するレイアウトで、任意の台数のデスク１０で一つの集合体（島）を構成できる。図５に示す例では、六台のデスク１０で一つの集合体（島）を構成しているが、オフィスの大きさや柱スパンに応じて任意の台数のデスク１０で一つの集合体（島）を構成できる。
【００２０】
図１および図２に示すように、本発明の実施の形態であるデスク１０は、脚１１、幕板１２、天板１３を備えている。
【００２１】
図１に示すように、脚１１は、天板１３を支持するためのもので、左右一対となる脚（支持脚）１１Ｌ，１１Ｒと、中央に設けられた脚（支持支柱）１１Ｍとを備えている。左右一対となる脚１１Ｌ，１１Ｒは、天板１３の下面両側縁部に配設され、天板１３の両側縁部の前後方向に亘り天板１３を支持する。図２に示すように、左右一対となる脚１１Ｌ，１１Ｒは、前方から後方に向けて延在し、床面上に設置される脚部（下部横杆）１１ａと、脚部１１ａの後端部から上方に向けて延在する柱部（支持脚本体）１１ｂと、柱部１１ｂの上端部から前方に向けて延在し、上面が天板１３に接する支持部（上部横杆）１１ｃとを有しており、側面視コの字状をなしている。脚部１１ａの下面には、前後一対となるアジャスター１１ａ１，１１ａ２が螺合しており、高さを微調整可能である。中央に配設された脚１１Ｍは、天板１３の下面頂部（後述する一対の後縁１３ｃＬ，１３ｃＲが交差する部位）に配設され、天板１３の後部領域（後述する一対の側縁１３ｂＬ，１３ｂＲの後端を結ぶ仮想線と一対の後縁１３ｃＬ，１３ｃＲとに囲まれた領域）を支持する。中央に設けられた脚１１Ｍは、床面から上方に延在する柱部１１ｄを有している。柱部１１ｄの下面には、アジャスター１１ｄ１が螺合しており、高さを微調整可能である。
【００２２】
図１および図２に示すように、幕板１２は、左側の脚１１Ｌと中央に設けられた脚１１Ｍとの間、右側の脚１１Ｒと中央に設けられた脚１１Ｍとの間に架設されている。
【００２３】
図３に示すように、天板１３は、略五角形であって、一対の後縁１３ｃＬ，１３ｃＲと、一対の側縁１３ｂＬ，１３ｂＲと、前縁１３ａとを有している。一対の後縁１３ｃＬ，１３ｃＲに挟まれた頂角αは１２０度であって、一対の後縁１３ｃＬ，１３ｃＲは同一の長さを有している。したがって、図４に示すように、一点を中心に三台のデスク１０を配置することにより、一つの集合体（クラスター）を構成すると、向かい合うデスク１０の天板１３との間に隙間が生じることはない。
【００２４】
図３に示すように、一対の側縁１３ｂＬ，１３ｂＲは、一方の後縁１３ｃＬの端部と他方の後縁１３ｃＲの端部とから延在し、相互に平行かつ同一の長さを有している。したがって、図５に示すように、複数台のデスク１０を千鳥配置することにより、一つの集合体（島）を構成すると、隣り合うデスク１０の天板１３と密着し、隣り合うデスク１０の天板１３との間に使いにくい隙間が生じることはない。
【００２５】
図３に示すように、前縁１３ａは、凹となる円弧を成しており、一方の側縁１３ｂＬの端部から他方の側縁１３ｂＲの端部に延在している。
【００２６】
また、天板１３において、上述した一対の側縁１３ｂＬ，１３ｂＲの後端を相互に結ぶ仮想線と上述した一対の後縁１３ｃＬ，１３ｃＲとに囲まれた後部領域には、電源コンセント１４と配線口１５とが設けてある。具体的には、電源コンセント１４と配線口１５とが左側となる後縁１３ｃＬと平行に設けてある。配線口１５は、天板１３の下方領域から上方領域に連通しており、ＬＡＮ（Local Area Network）ケーブルなどの配線が挿通可能である。また、配線口１５は、配線カバー１６で覆ってあり、必要に応じて配線口１５を露出可能である。
【００２７】
上述した本発明の実施の形態にかかるデスク１０は、図３に示すように、着席した状態で天板１３の全域に着席者の手が届き、着席者が専有する領域を有効に活用できる。
【００２８】
また、天板１３の下面両側縁部に配設した脚１１Ｌ，１１Ｒが天板１３の両側縁部を前後方向に亘り支持するので、天板１３が安定して支持される。さらに、脚１１Ｌ，１１Ｒは、前後方向に延び、床面上に設置される脚部１１ａと、脚部１１ａの後端部から上方に向けて延在する柱部１１ｂと、柱部１１ｂの上端部から前方に向けて延在し、上面が天板１３の下面に接する支持部１１ｃとにより、側面視コの字状をなすので、側方に開放された下肢空間が確保され、使い勝手のよいものとなる。
【００２９】
また、天板１３の一対の後縁１３ｃＬ，１３ｃＲが交差する頂部の下面に配設した脚１１Ｍが天板１３を支持するので、一対の側縁１３ｂＬ，１３ｂＲの後端を相互に結ぶ仮想線と一対の後縁１３ｃＬ，１３ｃＲとに囲まれた後部領域にパソコン等の重量物を設置してもデスク１０が転倒することがない。
【００３０】
また、天板１３の一対の側縁１３ｂＬ，１３ｂＲの後端を相互に結ぶ仮想線と一対の後縁１３ｃＬ，１３ｃＲとに囲まれた後部領域に天板１３の下方領域から上方領域に連通する配線口１５を設けたので、ＬＡＮケーブルなどの配線が挿通可能となり、配線が整理され、使い勝手および見栄えがよいものとなる。
【００３１】
上述した本発明の実施の形態にかかるデスク１０は、一点を中心にした一つの集合体（クラスター）を構成した場合に、天板１３の後縁１３ｃＬ，１３ｃＲが向かい合うデスク１０の天板１３の後縁１３ｃＬ，１３ｃＲに密着するので、図４に示すように、デスク１０とデスク１０との間に隙間が生じることはない。
【００３２】
上述した本発明の実施の形態にかかるデスク１０は、複数台を千鳥配置することにより一つの集合体（島）を構成した場合に、天板１３の側縁１３ｂＬ，１３ｂＲが隣り合うデスク１０の天板の側縁１３ｂＬ，１３ｂＲに密着するので、図５に示すように、デスク１０とデスク１０との間に使いにくい領域が生じることがない。
【符号の説明】
【００３３】
１０    デスク
１１    脚
１１Ｌ，１１Ｒ    脚（支持脚）
１１Ｍ    脚（支持支柱）
１１ａ    脚部（下部横杆）
１１ａ１，１１ａ２    アジャスター
１１ｂ    柱部（支持脚本体）
１１ｃ    支持部（上部横杆）
１１ｄ    柱部
１１ｄ１    アジャスター
１２    幕板
１３    天板
１３ａ    前縁
１３ｂＬ，１３ｂＲ    側縁
１３ｃＬ，１３ｃＲ    後縁
１４    電源コンセント
１５    配線口
１６    配線カバー
α    頂角
【図１】
2012065820.tif 000003
【図２】
2012065820.tif 000004
【図３】
2012065820.tif 000005
【図４】
2012065820.tif 000006
【図５】
2012065820.tif 000007
【図６】
2012065820.tif 000008
【図７】
2012065820.tif 000009
【図８】
2012065820.tif 000010